(57)【特許請求の範囲】
【請求項１】
天板（１０）とサイドパネル（１１）とリアパネル（１２）と支持脚（１３）からシステムデスク（５）を構成し、該システムデスク（５）と併置して、本棚（１ａ）を構成した収納庫（１）を配置する構成において、該サイドパネル（１１）を外して、該部分を収納庫（１）に組み付け可能に構成し、前記リアパネル（１２）は、左後板（１２Ｌ）と中後板（１２Ｍ）と右後板（１２Ｒ）により構成し、左後板（１２Ｌ）と右後板（１２Ｒ）の厚さを、中後板（１２Ｍ）より厚く構成し、該左後板（１２Ｌ）と中後板（１２Ｍ）と右後板（１２Ｒ）の前面を一直線上に並べて、左後板（１２Ｌ）と右後板（１２Ｒ）の間の中後板（１２Ｍ）の後部に空間を構成し、該空間を、外したサイドパネル（１１）の収納空間（Ｐ）としたことを特徴とするシステムデスク。
【請求項２】
請求項１記載のシステムデスクにおいて、前記左後板（１２Ｌ）と中後板（１２Ｍ）と右後板（１２Ｒ）の上面に化粧板（１２Ｕ）を載置し、該化粧板（１２Ｕ）にサイドパネル（１１）の収納空間（Ｐ）に通ずる配線用の孔（１２ｂ）を開口したことを特徴とするシステムデスク。
【発明の詳細な説明】
【０００１】
【発明の属する技術分野】
本発明は、間仕切り壁や本棚等に着脱可能とし、かつ、独立したデスクとしても使用可能なデスクの技術に関する。
【０００２】
【従来の技術】
従来のデスクは脚と天板等からなり、単独で移動でき好みの場所に設置し、配置替え等が容易にできるようにしている。また、搬送が容易にできるように分解組立が可能なデスクも公知となっており、また、本棚やベッド等とデスクを組み合わせて互いに補強しあい、設置スペースも小さくなるように一体的に連結する技術も公知となっている。
【０００３】
【発明が解決しようとする課題】
しかし、従来のベッドや本棚等と組み合わせたデスクは一旦、組み立てると配置替えすることは難しく、棚とデスクを同時に移動しなければならなかった。また、棚とデスクを組み合わせた家具はデスクを単独で別の位置で使用することはできない構造となっていた。
そこで、本発明はデスクの一部を付け替えることで、棚に組み付けることも、単独のデスクとしても使用できるデスクを提供しようとするものである。
【０００４】
【課題を解決するための手段】
本発明の解決しようとする課題は以上の如くであり、次にこの課題を解決するための手段を説明する。
【０００５】
請求項１においては、天板（１０）とサイドパネル（１１）とリアパネル（１２）と支持脚（１３）からシステムデスク（５）を構成し、該システムデスク（５）と併置して、本棚（１ａ）を構成した収納庫（１）を配置する構成において、該サイドパネル（１１）を外して、該部分を収納庫（１）に組み付け可能に構成し、前記リアパネル（１２）は、左後板（１２Ｌ）と中後板（１２Ｍ）と右後板（１２Ｒ）により構成し、左後板（１２Ｌ）と右後板（１２Ｒ）の厚さを、中後板（１２Ｍ）より厚く構成し、該左後板（１２Ｌ）と中後板（１２Ｍ）と右後板（１２Ｒ）の前面を一直線上に並べて、左後板（１２Ｌ）と右後板（１２Ｒ）の間の中後板（１２Ｍ）の後部に空間を構成し、該空間を、外したサイドパネル（１１）の収納空間（Ｐ）としたものである。
【０００６】
請求項２においては、請求項１記載のシステムデスクにおいて、前記左後板（１２Ｌ）と中後板（１２Ｍ）と右後板（１２Ｒ）の上面に化粧板（１２Ｕ）を載置し、該化粧板（１２Ｕ）にサイドパネル（１１）の収納空間（Ｐ）に通ずる配線用の孔（１２ｂ）を開口したものである。
【０００７】
【発明の実施の形態】
次に、本発明の実施の形態を添付の図面を用いて説明する。
【０００８】
図１は本発明のシステムデスクを間仕切り用収納庫に装着した正面図、図２は同じく側面図、図３は同じく斜視図、図４は本発明のシステムデスクの正面図、図５は同じく平面図、図６は同じく左側面図、図７は同じく右側面図、図８は同じく斜視図、図９は収納庫からシステムデスクを分解した斜視図である。
【０００９】
本発明のシステムデスクを間仕切り用収納庫に装着した全体構成を、図１、図２より説明する。
収納庫１は仕切り壁の代わりとしても使用できるもので、上端に固定部２が配置され、該固定部２を持ち上げることによって天井３と収納部との間で突っ張り、倒れたり、移動したりできないようにしている。なお、移動するときには下部に設けた図示しない移動部を現出させて移動したり、または専用の移動台を取り付けて所望の場所に移動して、再度取り外して固定して間仕切りとすることができる。
【００１０】
そして、収納庫１は図１において、左右両側に収納部分を有しており、両面から収納取り出しができるようにしている。該収納庫１には本実施例では本棚１ａと洋服ダンス１ｂが一体的に構成されて、本や被服等を収納できるようにしているが、別のシステム収納庫と組かえて、または、棚の付け替え等によってその他の物も収納できるようにし、購入者が選択できるようにしている。
【００１１】
前記収納庫１に組み付け可能とする本発明のシステムデスク５の構成について、図３乃至図９より説明する。
システムデスク５は主に天板１０とサイドパネル１１とリアパネル１２と支持脚１３から構成されている。前記天板１０の下面には引き出し２０・２０が設けられて、前後方向に摺動させて引き出して収納できるようにしている。また、天板１０は後述するように取付螺子２１・２１・・・によって、リアパネル１２や支持脚１３や収納庫１に対して取り付けることができるとともに、取付螺子２１・２１・・・を差し替えて固定することによって天板１０の高さも調整できるようにしている。
【００１２】
該天板１０の後部の下面に固定金具２２・２２を介してリアパネル１２に固定できるようにしており、該リアパネル１２は左後板１２Ｌと中後板１２Ｍと右後板１２Ｒと、この上面に配置する化粧板１２Ｕからなり、左後板１２Ｌと右後板１２Ｒの厚さは中後板１２Ｍより厚くして、該左後板１２Ｌと中後板１２Ｍと右後板１２Ｒの前面を一直線上に並べて、図９に示すように、左後板１２Ｌと右後板１２Ｒの間の中後板１２Ｍの後部の空間Ｐをサイドパネル１１の収納空間Ｐとしている。つまり、システムデスク５を収納庫１に組み付けるときにはサイドパネル１１は不要となるので、該収納空間Ｐにサイドパネル１１を収納して取付螺子２１・２１・２１で中後板１２Ｍの後面に固定できるようにしている。
【００１３】
前記左後板１２Ｌと右後板１２Ｒの上部前面と天板１０の両側下面との間には、側面視「Ｌ」字状の固定金具２２・２２が配置されて、これらを取付螺子２１・２１・・・によって固定している。なお、左後板１２Ｌと右後板１２Ｒの上部前面には螺子孔１２ａ・１２ａ・・・が所定間隔を開けて上下方向に複数配置され、取付位置を変更可能としている。前記化粧板１２Ｕは左後板１２Ｌと中後板１２Ｍと右後板１２Ｒの上端面を覆って隠すためのものであり、左右中途部に配線用の孔１２ｂが開口されて前記収納空間Ｐと連通され、通常はキャップ２３によって蓋している。こうして、システムデスク５（天板１０）上に電気スタンドやパソコン等の電気製品を載せたり取り付けたりする場合には、前記システムデスク５上に開口した孔１２ｂより電気コードやケーブル等を通して、配線が煩雑にならないようにしている。
【００１４】
支持脚１３は天板１０の左右一側に固定されるもので、該支持脚１３は丸パイプより構成して、上端及び下端をキャップで蓋して、該支持脚１３とリアパネル１２との間に補強杆１４を前後水平方向に適宜高さ位置で横設して補強している。また、支持脚１３の上部側面には螺子孔１３ａ・１３ａ・・・が前記螺子孔１２ａ・１２ａ・・・と高さ及び間隔を合わせて開口され、取付螺子２１で天板１０の高さを変更するときに同時に付け替えられるようにしている。
【００１５】
前記サイドパネル１１は、リアパネル１２と支持脚１３と同じ高さとして、前記中後板１２Ｍの左右幅よりも小さくして、収納空間Ｐ内に収納できる厚さとしている。そして、前後方向で前記支持脚１３を取り付ける位置に合わせてサイドパネル１１にも螺子孔１１ａ・１１ａ・・・が上下方向に螺子孔１３ａ・１３ａ・・・に合わせて開口されている。また、リアパネル１２の側面に設けた螺子孔１２ｃ・１２ｃの位置に合わせて取付孔が開口され、取付螺子２１・２１で固定できるようにしている。こうして支持脚１３とサイドパネル１１は左右入れ換えて取り付けることができ、つまり、左右共用として図１に示すように、左右いずれの位置にも配置することができ、使用者の好みに容易に合わせられるようにしている。
【００１６】
以上はシステムデスク５を独立して使用する場合であり、該システムデスク５を収納庫１に取り付ける場合には、サイドパネル１１を外して、図９に示すように、リアパネル１２の後中央の空間Ｐに位置させて、取付螺子２１・２１・２１によって取り付ける。
【００１７】
そして、収納庫１の本棚１ａの縦仕切り板１ｂに連結金具２４を取り付けて、該連結金具２４と天板１０とを螺子等で固定して収納庫１とシステムデスク５を連結するのである。なお、縦仕切り板１ｂにも前記螺子孔１３ａ・１３ａ・・・に合わせて螺子孔が開口されて、連結金具２４を天板１０の高さに合わせて縦仕切り板１ｂに固定できるようにしている。また、連結金具２４で固定する対象は収納庫１だけでなく、仕切り壁や衝立等に連結するように構成することもできる。また、システムデスク５を独立して使用する場合は、前記逆の操作を行い、連結金具２４を取り外し、サイドパネル１１に付け替えるのである。
【００１８】
このようにして、システムデスク５は独立して使用して部屋の任意位置に配置することができ、また、収納庫１に一体的に取り付けて、狭いスペースを有効に利用したり、座りながら本を探せ、立てば洋服を直ぐに着用できる等機能的な配置となって、仕事等の作業効率を上げるシステム家具としての機能を持たせることもできる。そして更に、収納庫１とシステムデスク５の配色や材質等を統一させることによって、一体的な家具とすることもできる。
【００１９】
【発明の効果】
本発明は以上の如く構成したので、以下の効果を奏するものである。
天板（１０）とサイドパネル（１１）とリアパネル（１２）と支持脚（１３）からシステムデスク（５）を構成し、該システムデスク（５）と併置して、本棚（１ａ）を構成した収納庫（１）を配置する構成において、該サイドパネル（１１）を外して、該部分を収納庫（１）に組み付け可能に構成し、前記リアパネル（１２）は、左後板（１２Ｌ）と中後板（１２Ｍ）と右後板（１２Ｒ）により構成し、左後板（１２Ｌ）と右後板（１２Ｒ）の厚さを、中後板（１２Ｍ）より厚く構成し、該左後板（１２Ｌ）と中後板（１２Ｍ）と右後板（１２Ｒ）の前面を一直線上に並べて、左後板（１２Ｌ）と右後板（１２Ｒ）の間の中後板（１２Ｍ）の後部に空間を構成し、該空間を、外したサイドパネル（１１）の収納空間（Ｐ）としたので、システムデスクは簡単な構成で、安価に製作することが可能となり、サイドパネルを取り付けた状態では、デスクと収納庫が別々の状態でそれぞれ独立して使用可能となり、任意位置に配置することができる。
また、サイドパネルを外すと収納庫に取付可能となり、収納庫とシステムデスクが一体となって、本や小物等の取り出しが簡単に行なえて機能性が増し、スペースを有効利用できる。
【００２０】
また、前記リアパネルにサイドパネルを収納する空間を形成したので、正面からは目立たない位置にサイドパネルを収納することができ、また、サイドパネルを紛失するおそれもなくなる。また、再びサイドパネルを取り付けるときに、収納位置がわからなくなることもなく、収納時に傷つけられることもない。
【００２１】
また、請求項２の如く、前記左後板（１２Ｌ）と中後板（１２Ｍ）と右後板（１２Ｒ）の上面に化粧板（１２Ｕ）を載置し、該化粧板（１２Ｕ）にサイドパネル（１１）の収納空間（Ｐ）に通ずる配線用の孔（１２ｂ）を開口したので、この孔を利用して、天板上に配置する電気スタンドやパソコン等の電気製品の電気コードやケーブル等を一つにまとめて配線することができ、配線が煩雑になることを防止できる。
【図面の簡単な説明】
【図１】  本発明のシステムデスクを間仕切り用収納庫に装着した正面図である。
【図２】  同じく側面図である。
【図３】    同じく斜視図である。
【図４】  本発明のシステムデスクの正面図である。
【図５】  同じく平面図である。
【図６】  同じく左側面図である。
【図７】  同じく右側面図である。
【図８】  同じく斜視図である。
【図９】  収納庫からシステムデスクを分解した斜視図である。
【符号の説明】
Ｐ    収納空間
１    収納庫
５    システムデスク
１０  天板
１１  サイドパネル
１２  リアパネル
１２ｂ  孔
１３  支持脚
【図１】
0003811333.tif 000002
【図２】
0003811333.tif 000003
【図３】
0003811333.tif 000004
【図４】
0003811333.tif 000005
【図５】
0003811333.tif 000006
【図６】
0003811333.tif 000007
【図７】
0003811333.tif 000008
【図８】
0003811333.tif 000009
【図９】
0003811333.tif 000010